(57)【要約】【課題】  ユーザの拡大／縮小等の手間を省くことにより、操作性を向上させる。【解決手段】  操作パネル１９でユーザによって「受信文書のＬＣＤ画面表示」が選択されると、そのデータが受信データメモリ１４から読み出され、コーデック１３で圧縮をデコードされる。その際、受信文書の１頁目のデコードが終わった時点で、ＣＰＵ１５は、そのデコード前の符号量から、符号量が多いほど大きく表示するように、ＬＣＤ１８に表示する縮小率を決定する。続いて、ＣＰＵ１５は、決定した縮小率に合わせて、デコードしたデータの間引き処理を行い、その結果を表示データメモリ１６に展開する。そして、ＣＰＵ１５は、表示データメモリ１６のデータを、ＬＣＤコントローラ１７を介して、ＬＣＤ１８に表示させる。【選択図】  図１
2006109041.tif 000002
【特許請求の範囲】
【請求項１】
受信文書を画面に表示する機能を有するファクシミリ装置において、
１頁分の前記受信文書について符号量を計数し、当該符号量が多いほど前記受信文書を大きく表示する表示制御手段を、
備えたことを特徴とするファクシミリ装置。
【請求項２】
電話回線から受信データを受信して復調する受信手段と、
この受信手段で復調された受信データに含まれる１頁分の受信文書について符号量を計数し、縮小率が大きいほど大きく表示されるときに当該符号量が多いほど前記縮小率を大きく設定する表示制御手段と、
この表示制御手段で設定された縮小率で前記受信文書を画面に表示する表示手段と、
を備えたファクシミリ装置。
【請求項３】
受信文書を画面に表示する機能を有するファクシミリ装置において、
１頁分の前記受信文書を複数の領域に分割して各領域毎に符号量を計数し、これらの符号量の中で最も多いものを選び、選ばれた当該符号量が多いほど前記受信文書を大きく表示する表示制御手段を、
備えたことを特徴とするファクシミリ装置。
【請求項４】
電話回線から受信データを受信して復調する受信手段と、
この受信手段で復調された受信データに含まれる１頁分の受信文書を複数の領域に分割して各領域毎に符号量を計数し、これらの符号量の中で最も多いものを選び、縮小率が大きいほど大きく表示されるときに、選ばれた当該符号量が多いほど前記縮小率を大きく設定する表示制御手段と、
この表示制御手段で設定された縮小率で前記受信文書を画面に表示する表示手段と、
を備えたファクシミリ装置。
【請求項５】
受信文書を画面に表示する機能を有するファクシミリ装置の画面表示方法において、
１頁分の前記受信文書について符号量を計数し、当該符号量が多いほど前記受信文書を大きく表示する、
ことを特徴とするファクシミリ装置の画面表示方法。
【請求項６】
電話回線から受信データを受信して復調し、
復調された受信データに含まれる１頁分の受信文書について符号量を計数し、縮小率が大きいほど大きく表示されるときに当該符号量が多いほど前記縮小率を大きく設定し、
設定された縮小率で前記受信文書を画面に表示する、
ファクシミリ装置の画面表示方法。
【請求項７】
受信文書を画面に表示する機能を有するファクシミリ装置の画面表示方法において、
１頁分の前記受信文書を複数の領域に分割して各領域毎に符号量を計数し、これらの符号量の中で最も多いものを選び、選ばれた当該符号量が多いほど前記受信文書を大きく表示する、
ことを特徴とするファクシミリ装置の画面表示方法。
【請求項８】
電話回線から受信データを受信して復調し、
復調された受信データに含まれる１頁分の受信文書を複数の領域に分割して各領域毎に符号量を計数し、これらの符号量の中で最も多いものを選び、縮小率が大きいほど大きく表示されるときに、選ばれた当該符号量が多いほど前記縮小率を大きく設定し、
設定された縮小率で前記受信文書を画面に表示する、
ファクシミリ装置の画面表示方法。
【発明の詳細な説明】
【技術分野】
【０００１】
本発明は、受信文書を画面に表示する機能を有するファクシミリ装置、及びその画面表示方法に関する。
【背景技術】
【０００２】
一般のファクシミリ装置では、受信文書を必ず印刷する。この場合、記録紙の消費量を抑えるために、画像の縮小、先端カット、後端カット等の加工を行うことにより、受信画像が１頁に収まるように出力するファクシミリ装置も知られている（特許文献１）。
【０００３】
一方、受信文書を印刷せずにＬＣＤに表示することによって記録紙の無駄を無くせるファクシミリ装置（以下「従来のファクシミリ装置」という。）が、各社から発売されている。ここで用いられるＬＣＤは、大型になるほど高価になるため、５インチ程度と、受信文書に比べてかなり小さくなっている。
【０００４】
【特許文献１】特開平８−２５１３１５号公報
【発明の開示】
【発明が解決しようとする課題】
【０００５】
図５及び図６は従来のファクシミリ装置におけるＬＣＤ画面を示す説明図であり、図５は第一例、図６は第二例である。以下、これらの図面に基づき説明する。
【０００６】
ＬＣＤ画面５０は、多数の操作スイッチ５１とともに、操作パネル１９上に設けられている。ＬＣＤ画面５０に受信文書２１を表示するとき、通常のＬＣＤ画面５０は受信文書２１のサイズよりも小さいので、等倍表示では受信文書２１の一部しか表示できない。
【０００７】
また、受信文書２１の全体を表示するには、縮小表示にする必要がある。このとき、図５に示すように、内容が粗い受信文書２１に対しては、縮小して全体を表示しても、内容を判読できる。一方、図６に示すように、内容が細かい受信文書２２に対しては、縮小すると内容が判読できないので、操作パネル１９を使って拡大しなければならない。
【０００８】
このように、ユーザは、操作パネル１９を使って表示倍率を調整しながら、受信文書２１，２２をＬＣＤ画面５０で確認することになる。しかし、受信文書の細かさは文書毎に様々であるので、受信文書毎に表示倍率を調整する手間がユーザに発生する。すなわち、ユーザが受信文書の内容を確認するには、拡大／縮小やスクロールなどの操作が必要になる。
【０００９】
そこで、本発明の目的は、ユーザの拡大／縮小等の手間を省くことにより操作性を向上させたファクシミリ装置を提供することにある。
【課題を解決するための手段】
【００１０】
本発明に係るファクシミリ装置は、受信文書を画面に表示する機能を有するものであり、表示制御手段を備えている。表示制御手段は、１頁分の受信文書について符号量を計数し、その符号量が多いほど受信文書を大きく表示する。詳しく言えば、本発明に係るファクシミリ装置は、受信手段、表示制御手段及び表示手段を備えている。受信手段は、電話回線から受信データを受信して復調する。表示制御手段は、受信手段で復調された受信データに含まれる１頁分の受信文書について符号量を計数し、縮小率が大きいほど大きく表示されるときに、符号量が多いほど縮小率を大きく設定する。表示手段は、表示制御手段で設定された縮小率で受信文書を画面に表示する。
【００１１】
受信文書の白画素及び黒画素の相互の変化点が多い程、その受信文書の符号量が増える。すなわち、符号量が多いほど、文書が細かいと言える。したがって、符号量が多いほど、文書が細かいのであるから、自動的に大きく表示する。これにより、ユーザは、細かい部分を見るために拡大表示する手間が不要になる。逆に言えば、符号量が少ないほど、文書が粗いのであるから、自動的に小さく表示する。これにより、ユーザは、全体を見るため縮小表示する手間が不要になる。また、表示制御手段は、ソフトウェアの変更によって実現できるので、既存のファクシミリ装置にも容易に用いることができる。
【００１２】
なお、「縮小率が大きいほど大きく表示される」とは、縮小率が％で示されるときに縮小率が７０％→８０％→９０％と大きくなるほど、受信文書が大きく表示されることをいう。例えば縮小率が５０％ならば、元の大きさの半分に表示される。また、１００％の以上の縮小率とはすなわち拡大率のことであるから、本発明における縮小率には拡大率も含まれるものとする。
【００１３】
また、表示制御手段は、１頁分の受信文書を複数の領域に分割して各領域毎に符号量を計数し、これらの符号量の中で最も多いものを選び、選ばれた符号量が多いほど受信文書を大きく表示する、としてもよい。詳しく言えば、表示制御手段は、受信手段で復調された受信データに含まれる１頁分の受信文書を複数の領域に分割して各領域毎に符号量を計数し、これらの符号量の中で最も多いものを選び、縮小率が大きいほど大きく表示されるときに、選ばれた符号量が多いほど縮小率を大きく設定する、としてもよい。
【００１４】
１頁分の中に細かい領域と粗い領域とを併せ持つ受信文書もある。このような受信文書では、受信文書全体の符号量を基準にすると、細かい領域が見にくくなるおそれがある。そこで、１頁分の受信文書を複数の領域に分割して各領域毎に符号量を計数し、これらの符号量の中で最も多いものを基準にすることにより、最も細かい領域が良く見えるように大きく表示する。
【００１５】
本発明に係るファクシミリ装置の画面表示方法は、前述の本発明に係るファクシミリ装置の動作を、方法の発明として表現したものである。
【００１６】
換言すると、本発明は、受信文書を画面表示することができるファクシミリ装置において、ユーザが受信文書毎に表示倍率を調整しなくても、その表示倍率を自動選択できるようにしたことを特徴としている。
【００１７】
ファクシミリの符号化方式である、ＭＨ（modified Huffman）、ＭＲ（modified READ）符号は、白画素⇔黒画素の変化点が多い程符号量が増える。これは、「符号量が多い＝文書が細かい」と置き換えることができる。よって、受信文書の符号量を計数して、符号量に応じて、表示倍率を自動で設定することにより、ユーザの手間を省くことができる。
【００１８】
なお、ＭＨとは、モノクロの画像データなどを圧縮／伸長する一次元逐次符号化方式の一つである。ＭＲとは、モノクロの画像データなどを圧縮／伸長する二次元逐次符号化方式の一つであり、ＲＥＡＤはrelative element address designateの略である。
【発明の効果】
【００１９】
以上説明したように、本発明によれば次の効果を奏する。第一の効果は、ファクシミリ装置が自動で受信文書の細かさを判断し、画面表示する倍率を調整するので、ユーザの表示倍率調整の手間が省けることである。第二の効果は、通常のファクシミリ装置で使用しているＭＨ、ＭＲなどの符号化方式で蓄積されたデータの量に基づいて、受信文書の細かさを判断しているので、既存のファクシミリ装置に対する追加及び変更が少ないことである。
【発明を実施するための最良の形態】
【００２０】
図１は、本発明に係るファクシミリ装置の第一実施形態を示すブロック図である。以下、この図面に基づき説明する。
【００２１】
本実施形態のファクシミリ装置１０は、網制御部１１、モデム１２、コーデック１３、受信データメモリ１４、ＣＰＵ１５、表示データメモリ１６、ＬＣＤコントローラ１７、ＬＣＤ１８、操作パネル１９等を備えている。
【００２２】
網制御部１１は、電話回線の閉結／開放、着信検出などを行う。モデム１２は、送信データを電話回線に通すために変調し、電話回線を通ってきた受信データを復調する。コーデック１３は、送信するデータをＭＨやＭＲなどの符号化方式を用いて圧縮し、圧縮されたデータを伸長する。受信データメモリ１４は、コーデック１３で圧縮されたデータを蓄積する。ＣＰＵ１５は、受信データメモリ１４に蓄積された受信文書の符号量の計数や、受信文書データを縮小するための間引き処理を行う。なお、符号量は、データ量とも呼ばれる。表示データメモリ１６は、コーデック１３で伸長された受信文書データや、ＣＰＵ１５で間引き処理された受信文書データを蓄積する。ＬＣＤコントローラ１７は、ＣＰＵ１５から送られてきた情報をＬＣＤ１８に表示するための制御を行う。ＬＣＤ１８は、時刻及び電話番号などの文字情報や、受信文書などの画像情報を表示する。操作パネル１９は、図５及び図６に示すように、ＬＣＤ画面５０、多数の操作スイッチ５１等を有する。
【００２３】
図２は、ファクシミリ装置１０の動作を示すフローチャートである。以下、図１及び図２に基づき、ファクシミリ装置１０の動作を説明する。
【００２４】
まず、図１に基づき、全体の動作について説明する。操作パネル１９を介してユーザによって「受信文書のＬＣＤ画面表示」が選択されると、そのデータが受信データメモリ１４から読み出され、コーデック１３で圧縮を解凍（デコード）される。その際、受信文書の１頁目のデコードが終わった時点で、ＣＰＵ１５は、そのデコード前の符号量から、図２のフローチャートに従って、ＬＣＤ１８に表示する縮小率を決定する。続いて、ＣＰＵ１５は、決定した縮小率に合わせて、デコードしたデータの間引き処理を行い、その結果を表示データメモリ１６に展開する。そして、ＣＰＵ１５は、表示データメモリ１６のデータを、ＬＣＤコントローラ１７を介して、ＬＣＤ１８に表示させる。
【００２５】
次に、図２のフローチャートについて詳述する。動作の主体はＣＰＵ１５である。また、符号量のしきい値ｄ１，ｄ２，・・・，ｄｎは、ｄ１＞ｄ２＞・・・＞ｄｎ＞０である。縮小率Ｘ１，Ｘ２，・・・，Ｘｎ，Ｘｎ＋１は、１００％≧Ｘ１＞Ｘ２＞・・・＞Ｘｎ＞Ｘｎ＋１＞０％である。縮小率が大きいほど大きく表示される。
【００２６】
受信文書の１頁目のデコードが終わった時点で（ステップ１０１）、そのデコード前の符号量ｄを計数する（ステップ１０２）。続いて、ステップ１０３においてｄ≦ｄ１であるか否かを判断し、ｄ＞ｄ１であれば縮小率Ｘ＝Ｘ１とし（ステップ１０４）、ｄ≦ｄ１であればステップ１０５へ進む。ステップ１０５においてｄ≦ｄ２であるか否かを判断し、ｄ＞ｄ２であれば縮小率Ｘ＝Ｘ２とし（ステップ１０６）、ｄ≦ｄ２であれば次のステップへ進む。・・・・。ステップ１０７においてｄ≦ｄｎであるか否かを判断し、ｄ＞ｄｎであれば縮小率Ｘ＝Ｘｎとし（ステップ１０８）、ｄ≦ｄｎであれば縮小率Ｘ＝Ｘｎ＋１とする（ステップ１０９）。これで図２に示す動作が終了する。
【００２７】
次に、ファクシミリ装置１０の作用を説明する。受信文書の白画素及び黒画素の相互の変化点が多い程、その受信文書の符号量が増える。すなわち、符号量が多いほど、文書が細かいと言える。したがって、ファクシミリ装置１０では、符号量が多いほど、文書が細かいのであるから、自動的に大きく表示する。これにより、ユーザは、細かい部分を見るために拡大表示する手間が不要になる。逆に言えば、符号量が少ないほど、文書が粗いのであるから、自動的に小さく表示する。これにより、ユーザは、全体を見るため縮小表示する手間が不要になる。また、このようなファクシミリ装置１０の動作は、ソフトウェアの変更によって実現できるので、既存のファクシミリ装置にも容易に用いることができる。
【００２８】
なお、特許請求の範囲における「受信手段」、「表示制御手段」、「表示手段」は、それぞれ「網制御部１１及びモデム１２」、「ＣＰＵ１５及びそのプログラム」、「ＬＣＤコントローラ１７及びＬＣＤ１８」に相当する。
【００２９】
図３及び図４は本発明に係るファクシミリ装置の第二実施形態を示し、図３は動作を示すフローチャート、図４はＬＣＤ画面を示す説明図である。以下、この図面に基づき説明する。ただし、第一実施形態と同じ部分は説明を省略する。
【００３０】
図４に示す受信文書２０は、１頁の前半が細かく、後半が粗くなっている。このような受信文書２０について、第一実施形態のように縮小率の判定を１頁全体で行うと、粗いと判定して小さく表示する（縮小率を小さくする）ため、ユーザが判読し難くなってしまう。
【００３１】
この問題を解決する動作を図３に示す。動作の主体はＣＰＵ１５である。まず、前半頁分がデコードされた時点で（ステップ２０１）、デコード前の符号量を記憶する（ステップ２０２）。続いて、後半分のデコードが完了すると（ステップ２０３）、そのデコード前の符号量を記憶するとともに（ステップ２０４）、その符号量と先に記憶した前半分の符号量とを比較し（ステップ２０５）、大きい方を受信文書２０の符号量とする（ステップ２０６，２０７）。そして、第一実施形態と同様に、図２のフローチャートに従って、ＬＣＤ１８に表示する縮小率Ｘを決定する。第二実施形態では、１頁を半分で分割したが、必要に応じ分割数を増やしてもよい。
【００３２】
なお、本発明は、言うまでもないが、上記第一及び第二実施形態に限定されるものではない。例えば、ＬＣＤの代わりに、ＥＬディスプレイなどを用いてもよい。
【図面の簡単な説明】
【００３３】
【図１】本発明に係るファクシミリ装置の第一実施形態を示すブロック図である。
【図２】図１のファクシミリ装置の動作を示すフローチャートである。
【図３】本発明に係るファクシミリ装置の第二実施形態を示すフローチャートである。
【図４】図３のファクシミリ装置におけるＬＣＤ画面を示す説明図である。
【図５】従来のファクシミリ装置におけるＬＣＤ画面の第一例を示す説明図である。
【図６】従来のファクシミリ装置におけるＬＣＤ画面の第二例を示す説明図である。
【符号の説明】
【００３４】
１０  ファクシミリ装置
１１  網制御部
１２  モデム
１３  コーデック
１４  受信データメモリ
１５  ＣＰＵ
１６  表示データメモリ
１７  ＬＣＤコントローラ
１８  ＬＣＤ
１９  操作パネル
２０，２１，２２  受信文書
５０  ＬＣＤ表示画面
５１  操作スイッチ
【図１】
2006109041.tif 000003
【図２】
2006109041.tif 000004
【図３】
2006109041.tif 000005
【図４】
2006109041.tif 000006
【図５】
2006109041.tif 000007
【図６】
2006109041.tif 000008